(57)【要約】【課題】外乱に強く、そのスイッチングにより他の装置を制御するのも容易なバックルスイッチを備えたバックル装置を有するシートベルト装置を提供する。【解決手段】バックル本体２０が、ベース２１と、ラッチ位置と非ラッチ位置との間で移動可能にベース２１に支持されてタングプレート１１をラッチ可能なラッチ部材２３と、前記タングプレート１１とバックル本体２０との係脱状態を検知するバックルスイッチとを備えている。該バックルスイッチが、リードスイッチ３１と、前記タングプレート１１とバックル本体２０との係脱動作に伴ってリードスイッチ３１との相対位置が変わる磁界発生手段３２とを有するスイッチユニット３０を構成し、当該スイッチユニット３０が磁性体で形成された磁気遮蔽板８１を備えている。【選択図】図２
2008245831.tif 000002
【特許請求の範囲】
【請求項１】
タングプレートと、該タングプレートを係脱するバックル本体とを備えたバックル装置を有するシートベルト装置において、
前記バックル本体が、ベースと、ラッチ位置と非ラッチ位置との間で移動可能に前記ベースに支持されて前記タングプレートをラッチ可能なラッチ部材と、前記タングプレートと前記バックル本体との係脱状態を検知するバックルスイッチとを備え、
該バックルスイッチが、リードスイッチと、前記タングプレートと前記バックル本体との係脱動作に伴って前記リードスイッチとの相対位置が変わる磁界発生手段とを有するスイッチユニットを備えていることを特徴とするシートベルト装置。
【請求項２】
前記スイッチユニットが磁性体で形成された磁気遮蔽板を備えていることを特徴とする請求項１に記載のシートベルト装置。
【請求項３】
前記磁界発生手段が磁石からなることを特徴とする請求項１又は２に記載のシートベルト装置。
【請求項４】
タングプレートと、該タングプレートを係脱するバックル本体とを備えたバックル装置を有するシートベルト装置において、
前記バックル本体が、ベースと、ラッチ位置と非ラッチ位置との間で移動可能に前記ベースに支持されて前記タングプレートをラッチ可能なラッチ部材と、前記タングプレートと前記バックル本体との係脱状態を検知するバックルスイッチとを備え、
該バックルスイッチが、前記タングプレートと前記バックル本体との係脱動作に伴って切り替えられて当該バックル装置の外部の複数の負荷のいずれかに通電するのに供するトランスファー型のリードスイッチによるスイッチユニットを備えていることを特徴とするシートベルト装置。
【請求項５】
前記スイッチユニットが、前記リードスイッチと、前記タングプレートと前記バックル本体との係脱動作に伴って前記リードスイッチとの相対位置が変わる磁界発生手段とを有することを特徴とする請求項４に記載のシートベルト装置。
【請求項６】
前記バックル本体が、ラッチ状態にある前記タングプレートを押し出すイジェクタを内蔵し、該イジェクタは、非ラッチ時の第一位置とラッチ時の第二位置との間を摺動可能であり、前記バックル本体に挿入される前記タングプレートによって第二位置へと移動される際に前記磁界発生手段を押圧移動して該磁界発生手段と前記リードスイッチとの相対位置を変えることを特徴とする請求項１〜３及び５のいずれかに記載のシートベルト装置。
【発明の詳細な説明】
【技術分野】
【０００１】
本発明は、自動車等の乗り物の座席に装備されるウェビング（ベルト）を着脱可能にロックするバックル装置を備えたシートベルト装置に関する。
【背景技術】
【０００２】
従来から、自動車等の乗り物の座席には、乗員の安全を図るために、シートベルト装置が取り付けられている。このシートベルト装置に用いられているバックル装置は、通常、ウェビングに移動自在に設けられたタングプレート（舌片）と、タングプレートを係脱するバックル本体とを有している。バックル本体は、バックル本体に係合（ラッチ）されたタングプレートを当該バックル本体から解離させる解離ボタンを備えている。
【０００３】
このようなバック装置においては、タングプレートとバックル本体との係脱状態を表示したり、タングプレートとバックル本体との係脱状態に基づいてリトラクタ等のシートベルト装置の作動に関係する他の装置を制御したりするために、係脱状態を検出するバックルスイッチが設けられている（例えば、特許文献１及び２参照。）。
【０００４】
特許文献１に記載のバックル装置では、バックルスイッチとして、ホール素子とマグネットとからなる非接触式のスイッチを用いたバックル装置が開示されている。このバックル装置は、バックル本体内にホール素子とマグネットとを近接配置している。ホール素子には、ＣＰＵ（中央演算装置）から延びた導線が接続されている。その導線には、ホール素子がマグネットから受ける一方向の磁界の強さ（磁束密度の高さ）に応じた電流が流れるようになっている。タングプレートをバックル本体に挿入すると、初期状態では第一位置にあったバックル本体内の可動な構成要素が、ホール素子とマグネットとの間の第二位置へと移動する。タングプレートをバックル本体から解離すると、可動な構成要素がホール素子とマグネットとの間から離れて第一位置へと移動する。この可動な構成要素の移動に伴って、ホール素子がマグネットから受ける磁界の強さは、図１０のように変動する。ホール素子がマグネットから受ける磁界の強さの変動に伴って、ホール素子及びＣＰＵ間の導線に流れる電流も変動する。この導線に流れる電流の大小に基づいて、ＣＰＵは、タングプレート及びバックル本体のラッチ状態と非ラッチ状態とを判別する。
【０００５】
特許文献２に記載のバックル装置にも、バックルスイッチとして、ホール素子とマグネットとからなる非接触式のスイッチを用いたバックル装置が開示されている。このバックル装置では、タングプレートとバックル本体との係脱動作に伴って、マグネットが移動され、ホール素子がマグネットから受ける磁界の強さが変動する。ホール素子がマグネットから受ける磁界の強さの変動に伴って、ホール素子の起電力が上下し、ホール素子及びＣＰＵ間の導線に流れる電流も変動する。この導線に流れる消費電流の大小に基づいて、ＣＰＵは、タングプレート及びバックル本体のラッチ状態と非ラッチ状態とを判別する。
【特許文献１】特開２００１−２１１９１２号公報
【特許文献２】特開２００１−１５７６０３号公報
【発明の開示】
【発明が解決しようとする課題】
【０００６】
ところで、特許文献１に開示されたバックル装置では、図１０に示したように、ホール素子が一方向の磁界をマグネットから受けるが、この形態では、外部から何らかの磁界発生手段がバックル装置に近づけられた場合等の外乱によって誤作動する心配がある。外部から何らかの磁界発生手段が近づけられても誤作動しないように、マグネットからの一方向の磁界（図１０ではＮ極の磁界）の磁力をより強くすることが考えられるが、こうすると、バックル装置内に磁性体（異物等）を吸い付けやすくなり、バックル装置の作動に悪影響がおよぶ虞がある。
【０００７】
一方、特許文献２に開示されたバックル装置のように、ホール素子の微弱な起電力の変化を導線を介してバックル装置外部のＣＰＵに伝送する場合、導線に外乱ノイズが印加されたときにＣＰＵで信号とノイズとを判別しにくくなる。また、ホール素子の出力は微弱であるため、例えばベルト警告灯などのランプ負荷を、ホール素子の出力に基づいて制御することはできなかった。
【０００８】
本発明は、上記事情に鑑みてなされたもので、その目的は、スイッチングの判別性能、信頼性が良好で、外乱に強く、そのスイッチングにより他の装置を制御するのも容易なバックルスイッチを備えたバックル装置を有するシートベルト装置を提供することにある。
【課題を解決するための手段】
【０００９】
本発明の上記目的は、以下の構成によって達成される。
（１）  タングプレートと、該タングプレートを係脱するバックル本体とを備えたバックル装置を有するシートベルト装置において、
前記バックル本体が、ベースと、ラッチ位置と非ラッチ位置との間で移動可能に前記ベースに支持されて前記タングプレートをラッチ可能なラッチ部材と、前記タングプレートと前記バックル本体との係脱状態を検知するバックルスイッチとを備え、
該バックルスイッチが、リードスイッチと、前記タングプレートと前記バックル本体との係脱動作に伴って前記リードスイッチとの相対位置が変わる磁界発生手段とを有するスイッチユニットを備えていることを特徴とするシートベルト装置。
（２）  前記スイッチユニットが磁性体で形成された磁気遮蔽板を備えていることを特徴とする（１）に記載のシートベルト装置。
（３）  前記磁界発生手段が磁石からなることを特徴とする請求項１又は２に記載のシートベルト装置。
【００１０】
（４）  タングプレートと、該タングプレートを係脱するバックル本体とを備えたバックル装置を有するシートベルト装置において、
前記バックル本体が、ベースと、ラッチ位置と非ラッチ位置との間で移動可能に前記ベースに支持されて前記タングプレートをラッチ可能なラッチ部材と、前記タングプレートと前記バックル本体との係脱状態を検知するバックルスイッチとを備え、
該バックルスイッチが、前記タングプレートと前記バックル本体との係脱動作に伴って切り替えられて当該バックル装置の外部の複数の負荷のいずれかに通電するのに供するトランスファー型のリードスイッチによるスイッチユニットを備えていることを特徴とするシートベルト装置。
（５）  前記スイッチユニットが、前記リードスイッチと、前記タングプレートと前記バックル本体との係脱動作に伴って前記リードスイッチとの相対位置が変わる磁界発生手段とを有することを特徴とする（４）に記載のシートベルト装置。
（６）  前記バックル本体が、ラッチ状態にある前記タングプレートを押し出すイジェクタを内蔵し、該イジェクタは、非ラッチ時の第一位置とラッチ時の第二位置との間を摺動可能であり、前記バックル本体に挿入される前記タングプレートによって第二位置へと移動される際に前記磁界発生手段を押圧移動して該磁界発生手段と前記リードスイッチとの相対位置を変えることを特徴とする（１）〜（３）及び（５）のいずれかに記載のシートベルト装置。
【発明の効果】
【００１１】
本発明のシートベルト装置によれば、バックル装置のバックルスイッチは、リードスイッチと、タングプレートとバックル本体との係脱動作に伴ってリードスイッチとの相対位置が変わる磁界発生手段とを有するスイッチユニットを備えているので、バックルスイッチは、スイッチングの判別性能、信頼性が良好となり、外乱に強く、そのスイッチングにより他の装置を制御するのも容易なものとなる。
【００１２】
また、本発明のシートベルト装置によれば、バックル装置のバックルスイッチが、タングプレートとバックル本体との係脱動作に伴って切り替えられてバックル装置の外部の複数の負荷のいずれかに通電するのに供するトランスファー型のリードスイッチによるスイッチユニットを備えているので、バックルスイッチは、スイッチングの判別性能、信頼性が良好となり、外乱に強く、そのスイッチングにより他の装置を制御するのも容易なものとなるのに加え、小型化、低コスト化を可能な構成となる。
【発明を実施するための最良の形態】
【００１３】
以下、本発明の一実施形態に係るシートベルト装置について図面に基づいて説明する。
【００１４】
図１は、本実施形態であるバックル装置１０を備えた三点式シートベルト装置１００を示す。シートベルト装置１００において、ウェビング１０１は、一端をリトラクタ１０２に引出し可能に巻回されている。ウェビング１０１の他端は、乗員１０９の肩近傍に位置するようにセンターピラー１０３に支持されたスルーアンカ１０５に挿通され、タングプレート１１に挿通され、センターピラー１０３の下部に固定されたアンカープレート１０４に係止されている。タングプレート１１をシート１０７近傍に配設されたバックル本体２０に係合することで、ウェビング１０１により乗員１０９をシート１０７に拘束できる。タングプレート１１のラッチ孔１２に、バックル本体２０内のラッチ部材を嵌合させることで、タングプレート１１をバックル本体２０に係合（ラッチ）させる。
【００１５】
リトラクタ１０２としては、例えば特開平８−２３８０号公報等に開示されている巻取り力軽減機構（テンションレデューサ）を備えたものが用いられることがある。巻取り力軽減機構は、電磁ソレノイドを励磁することで駆動される。
【００１６】
バックル装置１０のバックル本体２０は、アッパケースとロアケースとを組み合わせてなる筐体内に、各種部品を組み込んで構成されている。図２は、アッパケースを取り外した状態におけるバックル本体２０の概略平面図である。図３は、図２におけるＩＩＩ−ＩＩＩ線に沿った概略断面図である。図２及び図３は、タングプレート１１をバックル本体２０に挿入する前の状態（非ラッチ状態）を示している。図２では、図３に示すストッパ２９の図示を省略した。図３では、図２に示すベース側壁２１ｂ及び解離ボタン２８の図示を省略し、図２に示さなかったアッパケース２０ａを図示した。
【００１７】
以下の説明中、「上」とはアッパケース側を示し、「下」とはロアケース側を示すものとする。図２に示すように、ロアケース２０ｂ上には、ベース底壁２１ａと、その両側に立設された一対のベース側壁２１ｂ，２１ｂとを有する、断面コ字状のベース２１が置かれている。タングプレート１１の挿脱方向と、ベース側壁２１ｂ，２１ｂの延びる方向とは互いに一致している。ベース底壁２１ａ上の、タングプレート１１を挿入される側（図では左側）には、イジェクタ２２が摺動可能に配設されている。イジェクタ２２は、板状に形成され、タングプレート１１の先端が当接する当接部２２ａと、当接部２２ａの両側に設けられた一対の脚部２２ｂ，２２ｂとを有している。脚部２２ｂ，２２ｂは、ベース側壁２１ｂ，２１ｂに設けられた長孔（図示略）に挿入され、ベース側壁２１ｂ，２１ｂから外側に突出している。
【００１８】
イジェクタ２２の上方には、ラッチ部材２３の先端２３ｄが配されている。ラッチ部材２３は、その基端側（図では右側）の両側辺に設けられた一対の凸部２３ａ，２３ａにて、ベース側壁２１ｂ，２１ｂに支持されており、凸部２３ａ，２３ａまわりに揺動可能になっている。ラッチ部材２３は、その中央部に、ばね収容孔２３ｂを有している。ばね収容孔２３ｂの、ラッチ部材基端側の辺には、ばね支持凸部２３ｃが形成されている。ばね支持凸部２３ｃに、コイルばね（付勢部材）２５の基端が外嵌されている。ラッチ部材２３の先端２３ｄは、下方へ向かうフック状に形成されており、イジェクタ２２の当接部２２ａの上面に位置している。
【００１９】
ラッチ部材２３の先端側の上方に、ロックバー（ロック部材）２６が配されている。ロックバー２６は、一方のベース側壁２１ｂから他方のベース側壁２１ｂへ向かって延び、ラッチ部材２３の上方に横たわっている。ロックバー２６の中央部には、調整部材２７が係合している。
【００２０】
ロアケース２０ｂのタングプレート１１を挿入される側（図では左側）には、解離ボタン２８が配されている。解離ボタン２８は、乗員の指等によって図中右方向へ押圧される押圧部２８ａと、押圧部の両側に設けられて、ベース側壁２１ｂ，２１ｂの外側を摺動する一対のボタン脚部２８ｂ，２８ｂとを備えている。ボタン脚部２８ｂの下端は、イジェクタ２２の脚部２２ｂ，２２ｂに当接している。解離ボタン２８の押圧部２８ａが図中右方向へ押圧移動されると、それに伴ってボタン脚部２８ｂ，２８ｂによってイジェクタ２２の脚部２２ｂ，２２ｂが押圧移動される。ボタン脚部２８ｂ，２８ｂの、ベース側壁２１ｂ，２１ｂに相対する面には、後述するラッチ状態においてロックバー２６を受ける段部２８ｃが形成されている。
【００２１】
図３に示すように、調整部材２７の基端は、イジェクタ２２の脚部２２ｂに回転可能に支持されている。調整部材２７の先端は、フック状に形成されて、ロックバー２６に係合している。調整部材２７の中間部には、コイルばね２５の先端を受けるばね受け凸部２７ａが設けられている。ばね受け凸部２７ａは柱状に形成され、その側面でコイルばね２５の先端を受けている。ロックバー２６は、その両端部が、ベース側壁に形成された略Ｌ字状の案内孔２１ｃ内に挿入されている。非ラッチ状態では、ロックバー２６は、案内孔２１ｃの上部に配置されている。
【００２２】
調整部材２７のばね受け凸部２７ａにコイルばね２５の先端が当接していることにより、調整部材２７は図中時計回りの方向に付勢され、それに伴い、イジェクタ２２はタングプレート１１を排出する方向（図では左方向）に付勢されている。ラッチ部材２３の先端２３ｄの上方には、ストッパ２９が配されている。ストッパ２９は、ベース側壁に回転可能に支持されている。ストッパ２９は、その揺動先端に、ラッチ時にロックバー２６を受容する凹部２９ａを有している。
【００２３】
そして、一方のベース側壁２１ｂの外側に、バックルスイッチとしてのスイッチユニット３０が配されている。スイッチユニット３０のケース３０ａ内には、リードスイッチ３１と磁石３２とが近接配置されてなるスイッチ部３３が備えられている。
【００２４】
図５及び図６に示すように、リードスイッチ３１は、共通ＣＯＭ接点を有する共通ＣＯＭ端子、ＮＯ接点を有するＮＯ端子およびＮＣ接点を有するＮＣ端子がそれぞれ強磁性体のリード片５１，５２，５３によって構成され、ガラス管５４内に不活性ガスが封入されたトランスファー型のものである。トランスファー型のリードスイッチ３１は、外部磁界が印加されていない時にＮＣ接点を有するリード片５２と共通ＣＯＭ接点を有するリード片５１とが互いに接触し電気的な接続を得ている状態と、外部磁界が印加されることで共通ＣＯＭ接点を有するリード片５１が他方のＮＯ接点を有するリード片５３に磁気的に吸引されることによって、ＮＣ接点を有するリード片５２と開離してＮＯ接点を有するリード片５３に接触し電気的な接触を得る状態とに切り替える。また、スイッチユニット３０は、その周囲を磁性体で形成された磁気遮蔽板８１で覆われており、本実施形態では、図６に示すように、ケース３０ａの少なくとも３面が覆われている。
【００２５】
図５に示すように、リードスイッチ３１の各端子は実装に適した形状に加工され、基板７０に例えばはんだ付けなどによって位置精度良く実装され支持固定されている。基板７０には、リードスイッチ３１が有する各端子に電気的に接続するための導体パターン７１が形成されており、また導体パターン７１の端部にはハーネス接続部７２が形成されている。ハーネス接続部７２には、リードスイッチ３１によって切り替えられる電気的信号を、スイッチユニット３０の外部へ導くためのハーネス７３が、例えばはんだ付けなどにより接続されている。基板７０はスイッチユニット３０の所定の位置に配置され、その周囲には例えば封止樹脂８０が充填されており、基板７０をスイッチユニット３０内での定められた位置に固定している。
【００２６】
スイッチユニット３０内には磁界発生手段として、磁石３２が磁石ケース７４と共に、図５における基板７０が配置されている空間の下側の空間に配置されており、イジェクタ２２側には、イジェクタ２２の脚部２２ｂが入出可能な開口３０ｂが設けられている。また前記磁石ケース７４をスイッチユニット３０内の一方向に附勢する付勢部材３４が、前記と同様の下側の空間に配置されており、磁石３２をイジェクタ２２側へ常時付勢している。磁石ケース７４は、磁石３２を例えば内包する形で保持しており、磁石３２は図５におけるリードスイッチ３１の接点位置と移動方向において略同位置の下側に位置している。
【００２７】
また、図３に示すように、磁石３２は、イジェクタ２２と同様な高さに配置されている。この状態（非ラッチ状態）では、イジェクタ２２の脚部２２ｂと磁石ケース７４との間に間隔があいている。リードスイッチ３１は、ケース３０ａの隔壁により、磁石３２の上方に微小隙間を隔てて配されている。磁石３２は、ここでは、上側（リードスイッチ３１に相対する側）にＮ極、下側にＳ極を有する。
【００２８】
ここで、本実施形態のバックル装置の作動について説明する。
図３に示す状態（非ラッチ状態）から、タングプレート１１が挿入されて、そのタングプレート１１の先端によってイジェクタ２２の当接部２２ａが図中右方向へ移動されると、調整部材２７が、コイルばね２５の付勢力に抗して、その基端を右方向へ移動されながら、その先端を図中反時計回りの方向に揺動される。これにより、調整部材２７の先端が、ロックバー２６を押し下げるように作用し、更にロックバー２６がラッチ部材２３の先端２３ｄ側を押し下げるように作用する。そして、イジェクタ２２の移動が更に進んで、ラッチ部材２３の先端２３ｄにタングプレート１１のラッチ孔１２が位置するようになると、図４に示すラッチ状態となる。
【００２９】
図４に示すように、ラッチ状態では、ロックバー２６が、案内孔２１ｃの下部水平部の図中左端側へ案内される。コイルばね２５によってこのときは反時計回りの方向に付勢される調整部材２７によって押し下げられたラッチ部材２３の先端は、タングプレート１１のラッチ孔１２内に挿通されるとともに、ベース底壁２１ａに形成された係止孔２１ｄにも挿通される。ロックバー２６は、ストッパ２９によって、元の位置へ戻るのを阻止される。コイルばね２５の先端は、調整部材２７のばね受け凸部２７ａに外嵌される。
【００３０】
このとき、イジェクタ２２が当該スイッチユニット３０内に移動してきた際に、付勢部材３４のばね反発力に抗するイジェクタ２２の移動量に応じて、磁石ケース７４がリードスイッチ３１の端子軸と平行に図５における右側方向に移動する。そして、磁石３２は、磁石ケース７４の移動により、リードスイッチ３１内の接点中心から長手方向に外れた位置に配置される。図３の非ラッチ状態から図４のラッチ状態になるときの磁石３２の移動に伴って、リードスイッチ３１内の共通ＣＯＭ接点を有するリード片５１とＮＯ接点を有するリード片５３の間に磁気吸引力が働いて引き寄せられ、互いに接触して電気的に接続する。
【００３１】
ラッチ状態を解除するには、図２に示した解除ボタン２８を図中右方に押すことで、解除ボタン２８の段部２８ｃに受容されたロックバー２６を元の位置に向けて押し戻す。この時、磁石３２はリードスイッチ３１内の接点中心位置に再び位置される。リードスイッチ３１内の共通ＣＯＭ接点を有するリード片５１とＮＯ接点を有するリード片５３の間に磁気吸引力が存在しなくなるため、共通ＣＯＭ接点を有するリード片５１は当該リード片５１が持つばね性によってＮＯ接点を有するリード片５３から開離し、ＮＣ接点を有するリード片５２側に接触することになり、電気的に接続する状態を得る。
【００３２】
図７にバックル本体４０内の回路構成及び外部との電気接続の概略を示す。リードスイッチ３１のＮＣ接点を有するリード片５２には、ベルト警告灯６０が接続されている。ＮＯ接点を有するリード片５３には、前述した巻取り力軽減機構の電磁ソレノイド６１が接続されている。ベルト警告灯６０及び電磁ソレノイド６１には、バッテリＥから、ヒューズＦ、イグニッションスイッチＩＧを介して給電される。
【００３３】
例えば、乗員が自動車を始動すると、イグニッションスイッチＩＧがオンされる。この時、バックル装置１０が非ラッチ状態であると、ベルト警告灯６０が点灯する。そして、バックル装置１０がラッチ状態になれば、電磁ソレノイド６１が励磁されて巻取り力軽減機構が作動し、ウェビングが乗員を締め付ける力が軽減される。
【００３４】
以上説明した、磁石３２の移動によって当該リードスイッチ３１の各端子で得られる信号波形の例は、図８のようになる。即ち、非ラッチ状態ではＮＣ接点を有するリード片５２と共通ＣＯＭ接点を有するリード片５１とが電気的に接続しているので、両リード片５１，５２の間では電位差は０Ｖである。一方のＮＯ接点を有するリード片５３と共通ＣＯＭ接点を有するリード片５１とは電気的にオープンとなっているので、両リード片５１，５３の間の電位差は印加電圧と等しくなっている。これに対してラッチ状態になった時は、共通ＣＯＭ接点がＮＣ接点からＮＯ接点に切り替わるため、ＮＣ接点と共通ＣＯＭ接点の両リード片５１，５２の間では印加電圧と等しい電位差、またＮＯ接点と共通ＣＯＭ接点の両リード片５１，５３の間の電位差は０Ｖとなる。
【００３５】
以上説明したように、本実施形態のシートベルト装置１００によれば、ガラス管内で密閉された電気的接点を有するリードスイッチ３１をスイッチユニット３０内に位置精度よく配置できるようにし、シートベルト装置のイジェクタ２２の移動に伴ってリードスイッチ３１をＯＮ／ＯＦＦさせるための磁石３２が移動するようにしたので、スイッチング動作の精度が高いだけでなく、シートベルト装置１００が設置される車室内の環境下においても、ゴミやチリ、液体が原因となる接点障害の発生がなく、信頼性の高いバックル装置を提供することができる。また、リードスイッチ３１は、従来、外乱磁界の影響から守るためにホール素子と共に使用される保護素子を設ける必要がなく、装置の小型化および低コストを実現することができる。
【００３６】
さらに、磁気遮蔽板８１がスイッチユニット３０の外周を覆うようにして磁気遮蔽効果を附加しているので、シートベルト装置の周囲に外乱磁界の発生があっても、磁気遮蔽板８１が外乱磁界を遮断することができる。このため、スイッチユニット３０内のリードスイッチ３１には外乱磁界による影響がなく、安定したリードスイッチ３１の動作を得ることが可能となる。
【００３７】
また、本実施形態のシートベルト装置１００によれば、リードスイッチ３１が、タングプレート１１とバックル本体２０との係脱動作に伴って切り替えられてバックル装置１０の外部の複数の負荷のいずれかに通電するのに供するトランスファー型としたので、警告ランプやソレノイドコイルのような負荷についても、スイッチユニット３０以外の付加装置を用いることなく直接駆動させることができるため、装置の小型化および低コストを実現することができる。
【００３８】
なお、本発明は、前述した実施形態に限定されるものではなく、適宜な変形、改良等が可能である。
例えば、本発明のリードスイッチはトランスファー型に限定されるものではなく、単一接点を有するリードスイッチを複数本組み合わせてスイッチユニットを構成することによっても、同様の効果を得ることができる。
【００３９】
また、上記実施形態では、磁石は上側（リードスイッチに相対する側）にＮ極、下側にＳ極を有するように配置した例を示したが、これに限られるものではなく、リードスイッチの軸方向と平行に磁石のＮ極とＳ極を有するように配置してもよい。さらに、バックルスイッチは、磁石３２がイジェクタ２２と同じ高さとなるように配置されればよく、図９に示すように、リードスイッチ３１が下側、即ち、ベース底壁２１ａ側に配置されてもよいし、リードスイッチ３１が磁石３２の幅方向側方となるように配置されてもよい。
【００４０】
また、上記実施形態では、イジェクタ２２を磁石ケース７４に当接させることで、磁石ケース７４と共に磁石３２を移動させるようにしているが、これに限られるものでなく、磁石３２単体がスイッチユニット３０内の所定位置に配置されることによっても同様の効果を得ることができる。
【図面の簡単な説明】
【００４１】
【図１】本発明実施形態に係る三点式シートベルト装置によって乗員を拘束した状態を説明する図である。
【図２】本発明のバックル装置の概略平面図である。
【図３】図２におけるＩＩＩ−ＩＩＩ線に沿った概略断面図である。
【図４】バックル装置の作動を説明する図である。
【図５】バックル装置のバックルスイッチの概略断面図である。
【図６】図５におけるＶＩ−ＶＩ線に沿った概略断面図である。
【図７】バックル装置の回路構成を説明するブロック図である。
【図８】バックルスイッチの作動を説明する波形図である。
【図９】（ａ）は、バックルスイッチの変形例を示す概略断面図であり、（ｂ）は、（ａ）のＩＸ−ＩＸ線に沿った概略断面図である。
【図１０】従来のバックル装置の作動を説明するグラフである。
【符号の説明】
【００４２】
１０ バックル装置
１１ タングプレート
２０ バックル本体
２１ ベース
２２ イジェクタ
２３ ラッチ部材
２８ 解離ボタン
３０ スイッチユニット
３１ リードスイッチ
３２ 磁石（磁界発生手段）
３３ スイッチ部
３４  付勢部材
７０ 基板
７１ 導体パターン
７２ ハーネス接続部
７３ ハーネス
７４ 磁石ケース
８０ 封止樹脂
８１ 磁気遮蔽板
【図１】
2008245831.tif 000003
【図２】
2008245831.tif 000004
【図３】
2008245831.tif 000005
【図４】
2008245831.tif 000006
【図５】
2008245831.tif 000007
【図６】
2008245831.tif 000008
【図７】
2008245831.tif 000009
【図８】
2008245831.tif 000010
【図９】
2008245831.tif 000011
【図１０】
2008245831.tif 000012